(57)【特許請求の範囲】
【請求項１】
任意のヒモを挟んで係止する係止部と、柿のヘタを挟持する１対のはさみ爪と、前記はさみ爪を開閉させるための１対の操作部とから構成され、係止部と操作部とはさみ爪が１本の鋼線材よりなることを特徴とする柿クリップ。
【請求項２】
係止部が、ヒモからの脱落を防止するために、閉鎖形状となっていることを特徴とする請求項１記載の柿クリップ。
【請求項３】
操作部の指あて位置に指あて部を設けたことを特徴とする請求項１又は請求項２記載の柿クリップ
【発明の詳細な説明】
【０００１】
【発明の属する技術分野】
この発明は、干柿を製造する際、柿のヘタを挟んで吊るすための吊るし具に属するものである。
【０００２】
【従来の技術】
従来は細いバネを用い、Ｕ字形あるいはＶ字形を作りその先端に内側に向いた爪を付けたクリップがあった。
【０００３】
【発明が解決しようとする課題】
このクリップは片手で操作できる操作部がないため、どうしてもクリップの両アームを両方の手でつまみひろげて柿のヘタ（６）にかけなければならない。乾燥が完了し製品をはずす際にも両手を使う必要があった。又、このクリップを吊るすには特別のハンガーが必要、あるいはヒモ等にクリップを縛りつけなければならず、非常に労力と神経を使っていた。さらに、このクリップは小さいため、少し手の不自由な人、お年寄りには非常にあつかいにくかった。
本発明は、これらの欠点を解決するためになされたものである。
【０００４】
【課題を解決するための手段】
１本のステンレス等でできた、焼きの入った針金で全体の中心にあたる位置に、クリップをヒモにひっかけるための入口部（５）を狭くして形成した係止部（１）を設け、はさみ爪（２）の開閉動作を片手で操作できる操作部（３）を形成させ、針金の両端は下方で互いに向き合うカギ状となったはさみ爪（２）を形成させる。
本発明は以上のような構成より成る柿クリップである。
【０００５】
【発明の実施形態】
本発明の実施形態について図１から図１６を使って説明する。
（第１実施例）
図１は本発明の正面図であり、図２はその側面図であるが、図に示すように１本の針金からできており、それはステンレス等でできた焼きの入ったものが良い。全体の中心に当る部分にクリップをヒモに吊るすための係止部（１）が入口部（５）を狭くして形成され、それから、それぞれはなれるように伸び一定地点でくの字に曲がり操作部（３）を形成し、そのまま伸ばし交差しその先端に互いに内側にカギ状に曲がったはさみ爪（２）を設ける。
（第２実施例）
図３は本発明の正面図、図４はその側面図であるが図に示すように、第１実施例の操作部（３）の位置するところに針金を１回転ほどさせた指あて部（４）を設けた例であり、他は第１実施例に同じである。
（第３実施例）
図５は本発明の正面図で図６はその側面図である。これは図６に示すように１本の針金で平面的に形成されたものであり中心にあたる部分に入口部（５）を狭くした係止部を（１）を設け、それぞれ、布を切るハサミの操作部のように操作部（３）を形成し、ハサミの作用とは反対に操作部（３）に内側に力を加えるとはさみ爪（２）が開くよう、くの字に曲がってアーム（７）を伸ばし、その先端に互いに内側に向いたカギ状のはさみ爪（２）を形成する。
（第４実施例）
図７は本発明の正面図、図８はその側面図であるが、第１実施例の係止部（１）を狭くする必要がない場合の例で他は第１実施例に同じである。
（第５実施例）
図９は本発明の斜視図で図１０は側面図、図１１は正面図である。これらに示すように、第３実施例の操作部（３）を操作方向に対して直角に形成し操作しやすいように指あて部（４）を設けた例であり、他は第３実施例に同じである。
（第６実施例）
図１２は本発明の斜視図であり、図１３はその正面図である。それぞれの図に示すように１本の針金からできており、吊るす際細い棒を利用できるように係止部（１）を円形とした例で他は第５実施例に同じである。
（第７実施例）
図１４は本発明の正面図で図１５はその側面図である。これらに示すように１本の針金からできており、係止部（１）は第６実施例と同じく円形とし、又操作部（３）は、構成を簡略化するために第１実施例と同じくした例である。
本発明は以上のような構成であり、針金が太い場合は、はさみ爪（２）の先端を図１６のように尖らせるとなを良い、又、係止部（１）の入口部（５）を必ずしも狭くする必要はない。
これらを使用するときは、第１．２．３．５実施例では、まず係止部（１）のすきまより太いヒモに、本発明を任意の間隔をあけて係止部（１）でヒモを挟みとりつける。操作部（３）を内側に力を加えると、はさみ爪（２）が開く、そこに柿を位置させヘタ（６）の両端から挟み、操作部（３）をもどすことで、はさみ爪（２）がヘタ（６）を挟み込みそのまま柿を保持する。このようにしてならべてある柿に次々とクリップを取り付ける。こうしたものが図１７となる。
又、第４．６．７実施例では細い棒あるいはクサリ等に適当の数の本発明を通し、その棒等を橋渡しにしたのち、操作部（３）に力を加え同じく柿を位置、保持させる。それが図１８である。
このようにして吊るし、乾燥処理が終了したなら操作部（３）に力を加えるとはさみ爪（２）が開く。そこで柿をとりはづす。
本発明は以上のように使用する。
【０００６】
【発明の効果】
両手を使用しなければ柿のヘタを挟む作業ができなかったが操作部（３）を設けたことで、柿にさわることもなく衛生的に片手でしかも能率良く作業ができ、大きさも適当で手の不自由の人、お年寄りでも簡単に利用できる。
又、係止部（１）も入口部（５）を狭く形成されているため、係止部（１）のすきまより太いヒモを利用することにより係止部（１）でしっかりヒモを挟み、クリップがヒモの上を移動することも、ヒモからはずれることもなく、しかも着脱自由である。横吊り、たて吊りどちらにも利用できる。
【図面の簡単な説明】
【図１】本発明の第１実施例の正面図である。
【図２】図１の側面図である。
【図３】本発明第２実施例の正面図である。
【図４】図３の側面図である。
【図５】本発明第３実施例の正面図である。
【図６】図５の側面図である。
【図７】本発明第４実施例の正面図である。
【図８】図７の側面図である。
【図９】本発明の第５実施例の斜視図である。
【図１０】図９の側面図である。
【図１１】図９の正面図である。
【図１２】本発明の第６実施例の斜視図である。
【図１３】図１２の正面図である。
【図１４】本発明の第７実施例の正面図である。
【図１５】図１４の側面図である。
【図１６】はさみ爪の先端を尖らせた図である。
【図１７】ヒモに吊るした図である。
【図１８】棒に吊るした図である。
【符号の説明】
１  係止部
２  はさみ爪
３  操作部
４  指あて部
５  入口部
６  ヘタ
７  アーム
【図１】
0003668745.tif 000002
【図２】
0003668745.tif 000003
【図３】
0003668745.tif 000004
【図４】
0003668745.tif 000005
【図５】
0003668745.tif 000006
【図６】
0003668745.tif 000007
【図７】
0003668745.tif 000008
【図８】
0003668745.tif 000009
【図９】
0003668745.tif 000010
【図１０】
0003668745.tif 000011
【図１１】
0003668745.tif 000012
【図１２】
0003668745.tif 000013
【図１３】
0003668745.tif 000014
【図１４】
0003668745.tif 000015
【図１５】
0003668745.tif 000016
【図１６】
0003668745.tif 000017
【図１７】
0003668745.tif 000018
【図１８】
0003668745.tif 000019